(57)【特許請求の範囲】
【請求項１】
利用可能面に据置き型で固定可能な、自動車（１０）のためのインダクティブ充電ステーション（１４）の一部であるエネルギ伝送ユニット（１６）によるインダクティブ・エネルギ伝送を用いて自動車（１０）内のエネルギ貯蔵装置（１２）を充電する方法であって、前記エネルギ貯蔵装置（１２）の充電の準備及び／又は実施のために前記インダクティブ充電ステーション（１４）と前記自動車（１０）との間に通信チャネル（２２）が構成され、
前記インダクティブ充電ステーション（１４）は光信号（２４）を提供し、前記光信号（２４）は、前記自動車（１０）の前記エネルギ貯蔵装置（１２）を充電するための準備完了を合図するために、前記自動車（１０）の運転者（１８）により知覚されるものであり、かつ前記通信チャネル（２２）を介して伝送されるものでない、方法において、
前記光信号（２４）は、少なくとも部分的に、前記利用可能面における充電プレートとして配置される前記エネルギ伝送ユニット（１６）によって伝送されることを特徴とする、方法。
【請求項２】
請求項１に記載の方法であって、
前記光信号（２４）の提供は、前記自動車（１０）の最終充電位置に到達するより前に、前記エネルギ伝送ユニット（１６）を介して行われることを特徴とする、方法。
【請求項３】
請求項１又は２に記載の方法であって、
前記光信号（２４）の提供は、前記通信チャネル（２２）の確立後に行われることを特徴とする、方法。
【請求項４】
請求項１〜３のいずれか一項に記載の方法であって、
前記通信チャネル（２２）は、無線接続によって実現されることを特徴とする、方法。
【請求項５】
請求項１〜４のいずれか一項に記載の方法であって、
前記光信号（２４）は、脈動する、及び／又は少なくともいくつかの区間で一定である時間進行を伴って提供されることを特徴とする、方法。
【請求項６】
請求項１〜５のいずれか一項に記載の方法であって、
数字、図形、及び／又はグラフィック記号が自由選択の組み合わせで、前記光信号（２４）を用いて、視認可能とされる及び／又は強調表示されることを特徴とする、方法。
【請求項７】
−エネルギ貯蔵装置（１２）を備える自動車（１０）と、
−インダクティブ・エネルギ伝送を用いて前記自動車（１０）内の前記エネルギ貯蔵装置（１２）を充電するためのインダクティブ充電ステーション（１４）と、
−利用可能面に据置き型で固定可能な、インダクティブ充電ステーション（１４）の一部であるエネルギ伝送ユニット（１６）と、
−前記エネルギ貯蔵装置（１２）の充電の準備及び／又は実施のために前記インダクティブ充電ステーション（１４）と前記自動車（１０）との間に構成される通信チャネル（２２）と、を備える、充電システム（２０）であって、
前記インダクティブ充電ステーション（１４）は光信号（２４）を提供するために設計され、前記光信号（２４）は、前記自動車（１０）の前記エネルギ貯蔵装置（１２）を充電するための準備完了を合図するために、前記自動車（１０）の運転者（１８）により知覚されるものであり、かつ前記通信チャネル（２２）を介して伝送されるものでない、充電システム（２０）において、
前記光信号（２４）は、少なくとも部分的に、前記利用可能面における充電プレートとして配置される前記エネルギ伝送ユニット（１６）によって伝送されることができることを特徴とする、充電システム（２０）。
【発明の詳細な説明】
【技術分野】
【０００１】
本発明は、利用可能面に据置き型で固定可能な、自動車のためのインダクティブ充電ステーションの一部であるエネルギ伝送ユニットによるインダクティブ・エネルギ伝送を用いて自動車内のエネルギ貯蔵装置を充電する方法であって、エネルギ貯蔵装置の充電の準備及び／又は実施のためにインダクティブ充電ステーションと自動車との間に通信チャネルが構成される方法に関する。更に本発明は、エネルギ貯蔵装置を備える自動車、インダクティブ・エネルギ伝送を用いて自動車内のエネルギ貯蔵装置を充電するためのインダクティブ充電ステーション、利用可能面に据置き型で固定可能な、インダクティブ充電ステーションの一部であるエネルギ伝送ユニット、およびエネルギ貯蔵装置の充電の準備及び／又は実施のためにインダクティブ充電ステーションと自動車との間の通信チャネルを有する充電システムに関する。
【背景技術】
【０００２】
電気自動車又はハイブリッド自動車は、そのバッテリが外部エネルギ源から充電されるものとし、電力供給系との電気的連結を必要とする。その際、最も容易な方法は、ケーブル接続であり、そのケーブル接続を介して、外部エネルギ源は、自動車に接続される。特に、接触防護及び異物防護（汚染）に関する要求を考慮すべきである。グリッド接続されたエネルギ伝送の代替として、無接触エネルギ伝送とも呼ぶ無線エネルギ伝送が利用可能である。その際、エネルギ伝送に関する最適な効率を達成するために、固定充電ステーションに関して自動車の可能な限り正確な位置決めが必須である。それは、この場合には、充電ステーションが公共駐車場で利用可能であるとき、適応性が高いために有利であり得る。
【０００３】
これに関連して、特許文献１は、充電装置上で注意を促す情報を駐車した自動車に伝送するための自動車外の通信部、情報を受信するための自動車内の通信部、並びにその情報に基づいて運転者に充電装置の存在を通知する表示部及びオーディオ出力部を備える、自動車システムを開示している。
【先行技術文献】
【特許文献】
【０００４】
【特許文献１】特開２０１２−１３５１３５号公報
【発明の概要】
【発明が解決しようとする課題】
【０００５】
本発明の課題は、充電装置と自動車の運転者間の連係をつくる特に簡単な手法を可能にする方法及び充電システムを提供することである。
【課題を解決するための手段】
【０００６】
本課題は、請求項１の特徴を有する方法によって、そして請求項８の特徴を有する充電システムによって解決される。本発明の有利な発展形態は、従属請求項の主題である。
【０００７】
本発明は、利用可能面に据置き型で固定可能な、自動車のためのインダクティブ充電ステーションの一部であるエネルギ伝送ユニットによるインダクティブ・エネルギ伝送を用いて自動車内のエネルギ貯蔵装置を充電する方法であって、エネルギ貯蔵装置の充電の準備及び／又は実施のためにインダクティブ充電ステーションと自動車との間に通信チャネルが構成される方法に関する。本発明による方法は、インダクティブ充電ステーションは光信号を提供し、光信号は、自動車のエネルギ貯蔵装置を充電するための準備完了を合図するために、前自動車の運転者により知覚されるものであり、かつ通信チャネルを介して伝送されるものでないように改変される。
【０００８】
それに対応して、充電システムは、エネルギ貯蔵装置を備える自動車、インダクティブ・エネルギ伝送を用いて自動車内のエネルギ貯蔵装置を充電するためのインダクティブ充電ステーション、利用可能面に据置き型で固定可能な、インダクティブ充電ステーションの一部であるエネルギ伝送ユニット、およびエネルギ貯蔵装置の充電の準備及び／又は実施のためにインダクティブ充電ステーションと自動車との間の通信チャネルを有し、インダクティブ充電ステーションは光信号を提供するために設計され、光信号は、自動車のエネルギ貯蔵装置を充電するための準備完了を合図するために、自動車の運転者により知覚されるものであり、かつ通信チャネルを介して伝送されるものでないように改変される。
【０００９】
それにより、充電ステーションの特に容易な識別手段が生じ、同時に、光信号は、充電ステーションに対する光学案内機能を提供する。更に、充電ステーションは、充電のための準備完了の合図を送ることができ、それにより、例えば、故障した充電ステーションもまた識別することができる。したがって、電力供給系からのエネルギ供給が利用不可能な場合（停電）でもまた、自動車運転者は、準備完了の合図を欠いていることに基づいて、自身の自動車に対する充電ステーションの作動を保留とすることができる。特に有利には、準備完了の合図はまた、自動車に対する充電ステーションの適合性を示すために使用することもできる。
【００１０】
好適には、光信号の提供は、自動車の最終充電位置に到達するより前に、エネルギ伝送ユニットを介して行うことができる。特に、光信号の提供は、位置決め作業の開始より前に既に始めることができる。これにより、自動車の運転者に、充電作業が実際に可能かどうかを、相当な距離から合図することが早くも可能となる。
【００１１】
好適な実施形態では、光信号は、エネルギ伝送ユニットにより伝送される。これにより、自動車運転者の注意は、エネルギ伝送ユニットに直接向けられ、エネルギ伝送ユニットを用いて自動車は位置決めされる。しかし、エネルギ貯蔵装置の充電の間に自動車を停止するために提供される駐車場が、全体又は枠内で照明されることができることもまた、提供することができる。例えば、自動車の寸法に依存して駐車場の特定の領域のみを光信号によって強調表示することもまた、提供することができる。
【００１２】
好適な実施形態では、光信号の提供は、通信チャネルの確立後に行うことができ、特に、光信号の提供は、その通信チャネルの確立後すぐに行うことができる。それにより、充電ステーションと自動車間の接続が確立された後すぐに、自動車運転者は、充電ステーション、特にエネルギ伝送ユニットの存在及び位置について通信チャネルを介して通知されるという利点が生じる。
【００１３】
好適には、通信チャネルは、無線接続、例えば、ＷＬＡＮ、Ｂｌｕｅｔｏｏｔｈ（登録商標）などによって実現することができる。これにより、既存のインフラを利用することができる。
【００１４】
好適な実施形態では、光信号は、脈動する、及び／又は少なくともいくつかの区間で一定である時間進行を伴って提供される。これにより、自動車運転者の注意は、特に効果的に光信号に向けられる。
【００１５】
好適には、数字、図形、及び／又はグラフィック記号が自由選択の組み合わせで、光信号を用いて、視認可能とされる及び／又は強調表示されることができる。これにより、更に別の情報を自動車運転者に提供することができる。
【００１６】
本発明による方法に関して説明された利点及び特徴並びに実施形態は、本発明による充電システムに対して同様に適用され、かつその逆もまた同様である。したがって、対応する装置の特徴は、方法の特徴に対して提供されることができ、かつその逆もまた同様である。
【００１７】
本発明のその他の利点、特徴、及び詳細は、好適な実施形態及び図面を参照した以下の説明によって明らかになる。前述の説明で記載した特徴、及び特徴の組み合わせ、及び以下の図の説明で記載し、及び／又は単一の図面のみで示す特徴、及び特徴の組み合わせは、本発明の範囲を逸脱せずに、それぞれ示す組み合わせだけではなく、他の組み合わせで、又は単独でもまた用いてもよい。
【図面の簡単な説明】
【００１８】
【図１】単一の図面は、本発明による充電システムの概略図を示す。
【発明を実施するための形態】
【００１９】
本発明は、エネルギ貯蔵装置１２、好適には、リチウムイオン電池から構成された電気エネルギ貯蔵装置を備える自動車１０に関する。エネルギ貯蔵装置１２を充電するために、インダクティブ充電ステーション１４が用いられ、それはエネルギ伝送ユニット１６を有し、そのエネルギ伝送ユニットは、例えば、インダクティブ充電ステーション１４を装備した駐車場の床面に配置される。エネルギ貯蔵装置１２の充電では、エネルギ伝送ユニット１６とエネルギ貯蔵装置１２との間で、単一の図面において矢印によって図示されたエネルギ伝送が行われる。エネルギ伝送ユニット１６に対応するものとして、この場合は、単一の図面に図示してない自動車１０に付随するエネルギ受理ユニットが使用される。
【００２０】
自動車運転者１８、又は、視覚的接触が自動車１０の周辺で通常確立される自動車１０の領域が、同様に図示される。したがって、自動車運転者１８は、自動車１０の領域を代表するものとしてのみ存在する。
【００２１】
エネルギ貯蔵装置１２の充電の準備及び／又は実施のために、インダクティブ充電ステーション１４と自動車１０との間に通信チャネル２２が確立される。この通信チャネル２２は、好適には、無線接続、特にＷＬＡＮ、Ｂｌｕｅｔｏｏｔｈなどを基礎とすることができる。通信チャネル２２の確立後、インダクティブ充電ステーション１４は、自動車１０のエネルギ貯蔵装置１２の充電のための準備完了の合図を送るために使用される光信号２４を提供する。
【００２２】
好適には、光信号２４は、例えば、利用可能面における充電プレートとして配置されるエネルギ伝送ユニット１６を用いて提供することができる。代替的に又は追加的に、光信号２４は、全体としてインダクティブ充電ステーション１４によって提供することができる。したがって、例えば、壁又は柱に装着されたインダクティブ充電ステーション１４のコンポーネントのような、例えば、インダクティブ充電ステーション１４の更に別の要素が、光信号２４を提供することができる。これはまた、エネルギ貯蔵装置１２を充電するための自動車１０用の駐車場の境界要素を伴うこともできる。
【００２３】
インダクティブ充電、すなわち、ワイヤレス充電の例示的な充電作業のために、自動車は、充電プレート上に位置決めされることとなる。しかし、位置決めを開始する前に、好適には、充電プレートは、光信号により自動車に、言い換えると運転者に、「ようこそ（Willkommen）」と表示するものとし、その表示により、充電プレートが充電作業のために準備完了となっていることを確認するものとする。
【００２４】
充電プレートの照明は、自動車と充電プレート間の無線接続の確立と連関することができる。すなわち、自動車と充電プレート間の無線接続が確立されるとすぐに、自動的に、すなわち、自動車運転者１８による動作とは無関係に、充電プレートは、照明を開始することができる。その種の機能は、「おかえりなさい（Welcome Home）」ということもできる。
【００２５】
実施例は、本発明の説明のためにのみ利用され、本発明を限定するものではない。したがって、もちろん機能は、特に通信チャネル２２の形式又は光信号２４の形式は、本発明の趣旨を逸脱することなく、任意に形成することができる。
【００２６】
したがって全体として、どのように照明による挨拶「おかえりなさい」が、インダクティブ充電を用いる充電ステーションによって実現できるかが提示された。
【符号の説明】
【００２７】
１０  自動車
１２  エネルギ貯蔵装置
１４  インダクティブ充電ステーション
１６  エネルギ伝送ユニット
１８  自動車運転者
２０  充電システム
２２  通信チャネル
２４  光信号
【図１】
0006407437.tif 000002